(57)【特許請求の範囲】
【請求項１】
遊技場における不正行為検出装置を用いた不正行為検出方法であって、
前記不正行為検出装置の第１の数量データ検知部が、入賞の結果払出される遊技媒体数を第１の数量データとして検知する第１の数量データ検知工程と、
前記不正行為検出装置の第２の数量データ検知部が、遊技台から遊技台外部へ流出される遊技媒体数を第２の数量データとして検知する第２の数量データ検知工程と、
前記不正行為検出装置の第３の数量データ検知部が、前記遊技台毎に配設される遊技媒体貸出機で貸し出される遊技媒体数を第３の数量データとして検知する第３の数量データ検知工程と、
前記不正行為検出装置の第４の数量データ検知部が、前記遊技台毎に計数処理し累積された遊技客の保留遊技媒体数から、遊技店に登録された会員の口座への貯遊技媒体操作を伴うことなく所定の保留遊技媒体引落指示により引き落とされた保留遊技媒体数の再利用分の遊技媒体数を除いた遊技媒体数を第４の数量データとして検知する第４の数量データ検知工程と、
前記不正行為検出装置の不正判定処理部が、前記第１の数量データに基づく遊技媒体数および前記第３の数量データに基づく遊技媒体数と、前記第２の数量データに基づく遊技媒体数および前記第４の数量データに基づく遊技媒体数とから不正な遊技媒体があるかどうかを判定する不正判定処理工程と、
を備えた不正行為検出方法。
【請求項２】
遊技場における不正行為検出装置を用いた不正行為検出方法であって、
前記不正行為検出装置の第１の数量データ検知部が、入賞の結果払出される遊技媒体数を第１の数量データとして検知する第１の数量データ検知工程と、
前記不正行為検出装置の第２の数量データ検知部が、遊技台から遊技台外部へ流出される遊技媒体数を第２の数量データとして検知する第２の数量データ検知工程と、
前記不正行為検出装置の第３の数量データ検知部が、遊技客が自己の口座に残っている数量内で数量または金額を指定して引き出すことにより投出された遊技媒体数を第３の数量データとして検知する第３の数量データ検知工程と、
前記不正行為検出装置の第４の数量データ検知部が、前記遊技台毎に計数処理し累積された遊技客の保留遊技媒体数から、遊技店に登録された会員の口座への貯遊技媒体操作を伴うことなく所定の保留遊技媒体引落指示により引き落とされた保留遊技媒体数の再利用分の遊技媒体数を除いた遊技媒体数を第４の数量データとして検知する第４の数量データ検知工程と、
前記不正行為検出装置の不正判定処理部が、前記第１の数量データに基づく遊技媒体数および前記第３の数量データに基づく遊技媒体数と、前記第２の数量データに基づく遊技媒体数および前記第４の数量データに基づく遊技媒体数とから不正な遊技媒体があるかどうかを判定する不正判定処理工程と、
を備えた不正行為検出方法。
【請求項３】
遊技場における不正行為検出装置を用いた不正行為検出方法であって、
前記不正行為検出装置の第１の数量データ検知部が、入賞の結果払出される遊技媒体数を第１の数量データとして検知する第１の数量データ検知工程と、
前記不正行為検出装置の第２の数量データ検知部が、遊技台から遊技台外部へ流出される遊技媒体数を第２の数量データとして検知する第２の数量データ検知工程と、
前記不正行為検出装置の第３の数量データ検知部が、遊技客が自己の口座に残っている数量内で数量または金額を指定して引き出すことにより投出された遊技媒体の数量を第３の数量データとして検知する第３の数量データ検知工程と、
前記不正行為検出装置の第４の数量データ検知部が、前記遊技台毎に計数処理し累積された遊技客の保留遊技媒体数から、遊技店に登録された会員の口座への貯遊技媒体操作を伴うことなく所定の保留遊技媒体引落指示により引き落とされた保留遊技媒体数の再利用分の遊技媒体数を除いた遊技媒体数を第４の数量データとして検知する第４の数量データ検知工程と、
前記不正行為検出装置の第５の数量データ検知部が、遊技媒体貸出用の記録媒体または貨幣を受け付け、該記録媒体または貨幣に基づいて遊技媒体貸出装置から貸出された遊技媒体数を第５の数量データとして検知する第５の数量データ検知工程と、
前記不正行為検出装置の不正判定処理部が、前記第１の数量データに基づく遊技媒体数、前記第３の数量データに基づく遊技媒体数および前記第５の数量データに基づく遊技媒体数と、前記第２の数量データに基づく遊技媒体数および前記第４の数量データに基づく遊技媒体数とから不正な遊技媒体があるかどうかを判定する不正判定処理工程と、
を備えた不正行為検出方法。
【請求項４】
前記不正判定処理工程は、任意の値に設定される設定値を考慮して不正な遊技媒体があるかどうかを判定することを特徴とする請求項１、２または３に記載の不正行為検出方法。
【発明の詳細な説明】
【技術分野】
【０００１】
本発明は、パチンコ店等の遊技場において不正行為を検出する不正行為検出方法に関する。
【背景技術】
【０００２】
パチンコ台、スロットマシン等を設置している遊技場では、貨幣を投入してその都度パチンコ玉やメダル等の遊技媒体を貸し出す玉貸機やメダル貸機等の遊技媒体貸出機が設置されている。このような遊技媒体貸出機の他、最近では、プリペードカードを用いて遊技媒体を貸出すカードリーダ付遊技媒体貸出機（いわゆるＣＲユニット）が設置されていたり、また、遊技客が予めその店の会員となって自己の口座に遊技媒体を貯めておき、必要なときに自己の口座から必要金額分を引き出して遊技するいわゆる会員カードシステムが導入されている遊技場もある。いずれの場合においても、最近の遊技場では、遊技客が遊技装置の前に座ったままで、遊技媒体を借りることができるようになっている。
【０００３】
さらに、遊技の結果得られたパチンコ玉等を計数する遊技媒体計数手段として、各台計数機が各遊技台の下部に備えられていると、従来は島端等に設置されていた遊技媒体計数装置まで遊技媒体を持参することなく、上記各台計数機に投入することにより計数結果をカードまたはレシート等に記録することも可能になる。
【発明の概要】
【発明が解決しようとする課題】
【０００４】
しかしながら、遊技装置や遊技媒体計数装置に対して不正行為を働き、遊技媒体を不当に投出させたり、不正に計数値を増やしたりする悪質なケースが増加している。特に上述したように、遊技客が遊技装置の前に座ったままで遊技媒体の計数ができるようになったので、遊技媒体計数装置に対する不正行為が最近特に増加し、遊技場で問題になっている。
【０００５】
このような状況に対し、従来の技術では、計数装置単体、または遊技機単体について不正を検出する手段は提供されてきたが、計数装置を備えた遊技機の全体について総合的にかつ短時間で不正を検出することができなかった。
【０００６】
本発明は、上記事情に鑑みてなされたものであり、その目的は、遊技場における不正行為を速やかに検出できる不正行為検出方法を提供することにある。
【課題を解決するための手段】
【０００７】
本発明は、以下の手段により上記目的の解決を図る。
【０００８】
即ち、本発明によれば、遊技場における不正行為検出装置を用いた不正行為検出方法であって、前記不正行為検出装置の第１の数量データ検知部が、入賞の結果払出される遊技媒体数を第１の数量データとして検知する第１の数量データ検知工程と、前記不正行為検出装置の第２の数量データ検知部が、遊技台から遊技台外部へ流出される遊技媒体数を第２の数量データとして検知する第２の数量データ検知工程と、前記不正行為検出装置の第３の数量データ検知部が、前記遊技台毎に配設される遊技媒体貸出機で貸し出される遊技媒体数を第３の数量データとして検知する第３の数量データ検知工程と、前記不正行為検出装置の第４の数量データ検知部が、前記遊技台毎に計数処理し累積された遊技客の保留遊技媒体数から、遊技店に登録された会員の口座への貯遊技媒体操作を伴うことなく所定の保留遊技媒体引落指示により引き落とされた保留遊技媒体数の再利用分の遊技媒体数を除いた遊技媒体数を第４の数量データとして検知する第４の数量データ検知工程と、前記不正行為検出装置の不正判定処理部が、前記第１の数量データに基づく遊技媒体数および前記第３の数量データに基づく遊技媒体数と、前記第２の数量データに基づく遊技媒体数および前記第４の数量データに基づく遊技媒体数とから不正な遊技媒体があるかどうかを判定する不正判定処理工程と、を備えた不正行為検出方法が提供される。
【０００９】
また、本発明によれば、遊技場における不正行為検出装置を用いた不正行為検出方法であって、前記不正行為検出装置の第１の数量データ検知部が、入賞の結果払出される遊技媒体数を第１の数量データとして検知する第１の数量データ検知工程と、前記不正行為検出装置の第２の数量データ検知部が、遊技台から遊技台外部へ流出される遊技媒体数を第２の数量データとして検知する第２の数量データ検知工程と、前記不正行為検出装置の第３の数量データ検知部が、遊技客が自己の口座に残っている数量内で数量または金額を指定して引き出すことにより投出された遊技媒体数を第３の数量データとして検知する第３の数量データ検知工程と、前記不正行為検出装置の第４の数量データ検知部が、前記遊技台毎に計数処理し累積された遊技客の保留遊技媒体数から、遊技店に登録された会員の口座への貯遊技媒体操作を伴うことなく所定の保留遊技媒体引落指示により引き落とされた保留遊技媒体数の再利用分の遊技媒体数を除いた遊技媒体数を第４の数量データとして検知する第４の数量データ検知工程と、前記不正行為検出装置の不正判定処理部が、前記第１の数量データに基づく遊技媒体数および前記第３の数量データに基づく遊技媒体数と、前記第２の数量データに基づく遊技媒体数および前記第４の数量データに基づく遊技媒体数とから不正な遊技媒体があるかどうかを判定する不正判定処理工程と、を備えた不正行為検出方法が提供される。
さらに、本発明によれば、遊技場における不正行為検出装置を用いた不正行為検出方法であって、前記不正行為検出装置の第１の数量データ検知部が、入賞の結果払出される遊技媒体数を第１の数量データとして検知する第１の数量データ検知工程と、前記不正行為検出装置の第２の数量データ検知部が、遊技台から遊技台外部へ流出される遊技媒体数を第２の数量データとして検知する第２の数量データ検知工程と、前記不正行為検出装置の第３の数量データ検知部が、遊技客が自己の口座に残っている数量内で数量または金額を指定して引き出すことにより投出された遊技媒体の数量を第３の数量データとして検知する第３の数量データ検知工程と、前記不正行為検出装置の第４の数量データ検知部が、前記遊技台毎に計数処理し累積された遊技客の保留遊技媒体数から、遊技店に登録された会員の口座への貯遊技媒体操作を伴うことなく所定の保留遊技媒体引落指示により引き落とされた保留遊技媒体数の再利用分の遊技媒体数を除いた遊技媒体数を第４の数量データとして検知する第４の数量データ検知工程と、前記不正行為検出装置の第５の数量データ検知部が、遊技媒体貸出用の記録媒体または貨幣を受け付け、該記録媒体または貨幣に基づいて遊技媒体貸出装置から貸出された遊技媒体数を第５の数量データとして検知する第５の数量データ検知工程と、前記不正行為検出装置の不正判定処理部が、前記第１の数量データに基づく遊技媒体数、前記第３の数量データに基づく遊技媒体数および前記第５の数量データに基づく遊技媒体数と、前記第２の数量データに基づく遊技媒体数および前記第４の数量データに基づく遊技媒体数とから不正な遊技媒体があるかどうかを判定する不正判定処理工程と、を備えた不正行為検出方法が提供される。
また、本発明によれば、前記不正判定処理工程は、任意の値に設定される設定値を考慮して不正な遊技媒体があるかどうかを判定することを特徴とする不正行為検出方法が提供される。
【発明の効果】
【００１０】
本発明によれば、第１の数量データに基づく遊技媒体数および第３の数量データに基づく遊技媒体数と、第２の数量データに基づく遊技媒体数および第４の数量データに基づく遊技媒体数とから不正な遊技媒体があるかどうかを判定するよう構成したので、単純な構成で各台計数機に対する不正行為を常に監視し、発生直後に不正行為を検出することができる不正行為検出装置が提供される。特に、遊技台が遊技客による遊技台間の台間移動を許容する場合および許容しない場合のいずれであっても、単純な構成で各台計数機に対する不正行為を常に監視し、発生直後に不正行為を検出することができる。
【図面の簡単な説明】
【００１１】
【図１】本発明にかかる不正行為検出装置の基本的な構成を示すブロック図である。
【図２】本発明の第１の実施の形態にかかる不正行為検出装置を備えた遊技場システムの概略を示すシステムブロック図である。
【図３】図２に示すターミナルコントローラおよびカウンタ部の詳細について示すブロック図である。
【図４】図２に示す遊技場システムに備えられた不正行為検出装置の基本構成を示すブロック図である。
【図５】図４に示す不正行為検出装置の一連の動作の手順を示すフローチャートである。
【図６】本発明の第２の実施の形態である不正行為検出装置を備えた各台計数機を含む遊技ユニットの構成を示すブロック図である。
【図７】図６に示す不正行為検出装置の一連の動作の手順を示すフローチャートである。
【図８】図２に示す遊技場システムに備えられた遊技ユニットの正面図である。
【図９】図８に示す各台再プレイ機の斜視図である。
【図１０】島のパチンコ玉搬送経路に背面から接続された２台の遊技ユニットの断面図である。
【図１１】図８に示す各台計数機の分解斜視図である。
【図１２】本発明の第２の実施の形態である不正行為検出装置を備えた各台計数機の動作を示すフローチャートである。
【発明を実施するための形態】
【００１２】
以下、図面を参照しながら、本発明の実施の形態のいくつかについて説明する。
なお、各図において同一の部分には同一の参照符号を付してその説明は省略する。
【００１３】
また、以下の説明において、「セーフ玉」とは、遊技においてパチンコ玉が遊技台のチューリップ等の穴に入って遊技客へ入賞玉が投出され、その結果、遊技台の一時保留部に補給されるパチンコ玉をいい、アウト玉とは、入賞することなく、回収されるパチンコ玉をいうものとする（但し、チューリップ等の穴に入ったパチンコ玉自身もアウト玉として回収される）。
【００１４】
図２は、本発明の第１の実施の形態である不正行為検出装置を備えた遊技場システムの概略を示すシステムブロック図である。
【００１５】
この遊技場システムでは、顧客毎に会員カードを発行してこの会員カードにより貯玉・再プレイ等の各種サービスが行なえるようになっている。遊技客は、銀行等に預金するのと同じような感覚で、パチンコ店において自分が獲得したパチンコ玉を自己の口座に預け入れ、そこから必要な玉数を引き出して再度遊技したり、その口座にある玉数の全部又は一部を景品に交換したりできる。
【００１６】
図２において、ターミナルコントローラ１０およびカウンタ部３０が共通に設けられ、これらには複数の島が接続されている。各島は、島コントローラ２５、この島コントローラ２５に接続された複数の遊技ユニット５５からなっており、各構成要素はＬＡＮ（ローカルエリアネットワーク）で接続されて、互いにデータ交換が可能となっている。
【００１７】
図３は、ターミナルコントローラ１０およびカウンタ部３０の詳細について示すブロック図である。
【００１８】
ターミナルコントローラ１０は、ワークステーション１１、パーソナルコンピュータ１２、プリンタ１３およびカード発行機１４を備えている。
【００１９】
ワークステーション１１は、本システム全体の制御を行う制御部１１Ａ、メモリ１１Ｂ、ディスプレイ等の表示部１１Ｃ、キーボード、プリンタ等の入出力部１１Ｄからなっている。
【００２０】
パーソナルコンピュータ１２は、上述のワークステーション１１とＬＡＮで接続されており、このワークステーション１１内に新規口座を登録する場合や、ワークステーション１１に記憶されたデータの統計処理や訂正を行ったりする際に、店員が操作する。新規口座を登録する場合は、このパーソナルコンピュータによる制御に基づいて、カード発行機１４により新規の会員カードが発行される。
ターミナルコントローラ１０内の各部１１、１２、１３、１４の電源は、無停電電源（図示せず）によって供給されている。これにより、商用電源が断となった際のシステムダウンの発生を防止することができる。
【００２１】
このワークステーション１１は、外部の経営コンピュータ（図示せず）と専用の通信回線で結ばれている。これにより、この経営コンピュータを用いてワークステーション１１内のデータを管理できるようになっている。さらに、ワークステーション１１は、各遊技ユニットへの遊技媒体の補給口および回収口に備えられた、流入数量検出手段であるセーフ玉センサ、流出数量検出手段であるアウト玉センサ、貸出数量出力手段を備えた各台再プレイ機、遊技媒体計数手段である各台計数機等から供給されるカウント値のパルスに基づいて店内のパチンコ玉およびメダルの流れを管理し、店内のパチンコ玉およびメダルの総合的な管理、把握ができるようになっている。なお、後述する誤差αや係数Ｕ1 ないしＵ4 等の設定は、ワークステーションの制御部１１Ａが相当し、その操作は、入出力部１１Ｄにより行い、そのデータはメモリ１１Ｂに記憶される。
【００２２】
カウンタ部３０は、カード処理機３１、景品交換管理装置３２、プリンタ３４および景品自動払出機３５を備えている。
【００２３】
カード処理機３１は、景品交換管理装置３２と接続されており、遊技客が自己の口座に預け入れたパチンコ玉やメダルを景品に交換する場合に、その口座を特定するために読取りを行うものである。
【００２４】
遊技客が自己の口座に預け入れられた遊技媒体を景品に交換したい場合には、交換した景品に該当する数の遊技媒体を口座から差し引く。さらに、遊技客が特殊景品（換金可能な景品）に交換することを希望する場合には、所定数の特殊景品の払出しを景品自動払出機３５に行わせる。
【００２５】
プリンタ３４は、景品交換管理装置３２に接続されており、この景品管理装置３２の管理データをプリントアウトできるようになっている。
【００２６】
景品自動払出機３５は、上述のように、景品交換管理装置３２によって指令された景品を払い出す。また、この景品自動払出機３５にカードリーダを内蔵し、遊技客が直接操作して自己の口座に預け入れられた遊技媒体を特殊景品に交換することができるようにしてもよい。
【００２７】
次に、島コントローラ２５に接続された遊技ユニット５５の正面図を図８に示す。
【００２８】
図８において、遊技機６０の上面に台ランプ８０が備えられ、トラブル時の店員呼出表示等の各種の表示を行う。遊技機６０の左側には遊技媒体引出機である各台再プレイ機７０が隣接して備えられ、また、遊技機６０の下皿の下に遊技客が獲得したパチンコ玉を一時的に蓄える玉箱１１０が設置され、その玉箱１１０の下方には、各台計数機１００が備えられている。
【００２９】
この遊技機６０は、チャッカーと呼ばれる穴に玉が入ったときには盤面中央部にある３桁のディジタル表示部の数字が回転変動し、停止した時点で３桁とも特定の数字等になっているとき、例えば「７７７」には大当たりとなってチューリップ６７が一定時間全開状態となる、いわゆるフィーバー台となっている。
【００３０】
図９は、図８に示す各台再プレイ機７０の斜視図である。
【００３１】
図９において、会員カード挿入口７１の奥には、図示しないカード処理部が備えられており、挿入された会員カードの情報を読みとりターミナルコントローラへ問い合わせにいき、当該会員の貯玉数を検索して、表示部７５に出力する。遊技客がテンキー７７により暗証番号を入力して再プレイ釦７６を押圧すると所定数のパチンコ玉が貯玉数から差し引かれるとともに、図示しない玉投出手段がいわゆる「象の鼻」と呼ばれる玉投出口７３ａを介して遊技機６０の上皿６９へパチンコ玉を投出する。
【００３２】
この各台再プレイ機７０は、貸出数量出力手段である売上信号出力部を備えており、所定数のパチンコ玉を投出する度に売上信号のパルスをワークステーション１１（図４参照）に供給する。
【００３３】
なお、本実施形態における遊技場システムでは、会員でない遊技客でもこの各台再プレイ機７０を利用できるようになっており、遊技客は硬貨（１００円又は５００円）を硬貨投入口７８に投入するだけで、投入金額分のパチンコ玉の貸出を受けることができる。
【００３４】
図１０は、島コントローラ２５に接続された遊技ユニットの断面図であり、２台の遊技ユニット５５，５５が島のセーフ玉補給経路１５０およびアウト玉回収経路１６０でなるパチンコ玉搬送経路に接続されている。
【００３５】
同図において、セーフ玉補給経路１５０からセーフ玉が左右の遊技ユニット５５，５５に補給され、そのセーフ玉の数量は、流入数量検出手段であるセーフ玉センサ１５１が検知して検知結果のパルス信号をワークステーション１１に供給する（図４参照）。この補給は、各遊技台の図示しない一時保留部の玉が少なくなってくるとゲートを開けて行なわれる。また、アウト玉は、左右の遊技ユニット５５，５５からアウト玉回収経路１６０に流出され、流出されたアウト玉の数量は、流出数量検出手段であるアウト玉センサ１６１が検知して検知結果のパルス信号をワークステーション１１に供給する（図４参照）。
【００３６】
図１１は、図８に示す各台計数機１００の分解斜視図である。
【００３７】
図１１において矢視するように、遊技の結果、遊技機６０の上皿のパチンコ玉の数量が増加すると、遊技客は、下皿６８（図８参照）を通して玉箱１１０にパチンコ玉を移す。さらにパチンコ玉が玉箱一杯になると、遊技客は、玉箱の計数レバー１１５を移動してパチンコ玉の計数を開始する。
【００３８】
玉箱レバー１１５が移動されると、パチンコ玉は天板１２３の中央に穿設された天板玉計数穴１２５を通過し、各台計数機１００の上面に備えられた計数シャッタ部１３０の穴１３５から計数部１４０の計数レーン１４２に流れ込み、計数センサ１４１によって計数された後、パチンコ玉回収経路１６０（図１０参照）により回収される。なお、計数シャッタ部１３０は、会員カードが各台再プレイ機７０の会員カード挿入口７１に挿入されたときに開くようになっている。会員でない遊技客が計数機を使用する場合は店員から非会員の「ビジターカード」を貸与してもらい、そのビジターカードを挿入すれば計数シャッタ部１３０が開く。
【００３９】
計数センサ１４１は、計数信号を図示しない各台計数機１００のＣＰＵへ出力し、ＣＰＵは、該計数値を表示部１４６により表示するとともに、ワークステーション１１に送信する（図４参照）。なお、この段階では、計数値は貯玉されずに「保留玉」として処理が保留される。
【００４０】
次に、この遊技場システムに備えられ、本発明において特徴的な不正判断手段について説明する。
【００４１】
本実施形態における不正判断手段は、ワークステーション１１内に備えられ、遊技場システムに接続された遊技ユニットの全数を集中的に管理することにより、ホール内で発生した不正行為を検出する。
【００４２】
まず、この不正判断手段が不正行為を検出する原理を図面を参照しながら説明する。
【００４３】
本発明は、パチンコ台等の遊技機に流入するパチンコ玉等の遊技媒体の数量と、該遊技機から流出する遊技媒体の数量とは一致するという原則に基づくものである。以下、パチンコを具体例として説明する。
【００４４】
遊技により遊技台に補給されたセーフ玉の数量がアウト玉の数量を上回ると、玉補給皿にパチンコ玉が滞留し、ついには溢れるので、遊技客は玉箱を玉補給皿の下に配置して皿の手前に設けられたレバーを操作して獲得したパチンコ玉を玉箱の中に収納する。
【００４５】
遊技を終えるときに玉箱にパチンコ玉が残っている場合は、遊技客は獲得したパチンコ玉を各台毎に設置された各台計数機に投入し、計数結果を会員カードに記録した上で、カウンタで会員カードリーダを介して景品に交換する。なお、会員でない遊技客は、店員からビジタカードの貸与を受け、このビジタカードに計数結果を記録して景品の交換を行う。また、会員は、景品交換をする代わりに自己の口座に貯玉し、次回の遊技で引出して再プレイすることもできる。
【００４６】
従って、玉貸出機から貸出されたパチンコ玉の数量（以下、Ｃとする）とセーフ玉の数量（以下、Ｂとする）の合計Ｂ＋Ｃと、アウト玉の数量（以下、Ａとする）と各台計数機の計数値（以下、Ｄとする）の合計Ａ＋Ｄとは、原則として一致するので、各数量について検出手段を設けてＡないしＤを検出し、Ｂ＋ＣとＡ＋Ｄとを比較して、後者が前者を上回れば、各台計数機について不正が行われたものと判断することができる。
【００４７】
ただし、現実には、遊技客が床に落ちているパチンコ玉を拾って遊技台に投入したり、台間移動、即ち、遊技客が現在遊技中の遊技台について玉補給皿のパチンコ玉を全て玉箱に収容して他の席に移動し、遊技台を変更する場合があるので、予め誤差αを設定しておく必要がある。
【００４８】
そこで、上述の原則を修正し、Ｙ＝Ｂ＋Ｃ＋α、Ｘ＝Ａ＋ＤとしてＹとＸを比較し、Ｙ＜Ｘであれば各台計数機について不正行為があったものと判断をする。
この誤差αは、ホール側で自由に設定することができ、例えば、１０００個と設定することができる。また、パチンコ玉の台間移動を禁止しているならば、例えば１００個と、少なめに設定することもできる。
【００４９】
図１は、このような原理に基づく本発明にかかる不正行為検出装置の基本的な構成を示すブロック図である。
【００５０】
図１において、貸出数量出力手段１は、玉貸機によって貸出された遊技媒体の数量データＣを不正判断手段５に出力する。
【００５１】
また、流入数量検出手段２は、遊技機に補給されるセーフ玉を検出し、検出結果の数量データＢを不正判断手段５に出力する。
【００５２】
流出数量検出手段４は、遊技機から回収されるアウト玉を検出し、その数量データＡを不正判断手段５に出力する。
【００５３】
また、遊技媒体計数手段３は、各台計数機であり、遊技客が遊技の結果獲得した遊技媒体を計数し、計数結果の数量データＤを不正判断手段５に出力する。
【００５４】
さらに、不正判断手段５は、これらの検出手段等により出力されたＡないしＤのデータを受けて、Ｙ＝Ｂ＋Ｃ＋α、Ｘ＝Ａ＋Ｄの演算処理を行った上でＹとＸを比較し、Ｙ＜Ｘであれば、各台計数機について不正行為があったものと判断し、アラーム信号Ｚを出力する。
【００５５】
図４は、本実施の形態にかかる不正行為検出装置の基本構成を示すブロック図である。
【００５６】
図４に示すように、本実施形態にかかる不正行為検出装置は、セーフ玉センサ１５１、各台再プレイ機７０、アウト玉センサ１６１、各台計数機１００、制御部１１Ａに備えられた不正判断手段である不正判断回路４０および送信器５４とを備えている。
【００５７】
セーフ玉センサ１５１は、セーフ玉補給経路１５０に設けられた流入数量検出手段２であり、遊技ユニット５５に補給されたセーフ玉を検出してセーフ玉数量のパルスＢ'を制御部１１Ａの変換回路４１に出力する。
【００５８】
各台再プレイ機７０には、貸出数量出力手段１である売上信号出力部が備えられており、遊技客がパチンコ玉を借受ける度に売上信号のパルスＣ'を制御部１１Ａの変換回路４２に出力する。
【００５９】
また、アウト玉センサ１６１は、アウト玉回収経路１６０に設けられた流出数量検出手段４であり、遊技ユニット５５から回収されたアウト玉を検出してアウト玉数量のパルスＡ'を制御部１１Ａの変換回路４３に供給する。
【００６０】
さらに、各台計数機１００には、遊技媒体計数手段３の一部である計数センサ１４１が備えられており、計数結果としての計数数量のパルスＤ'を制御部１１Ａの変換回路４４に出力する。
【００６１】
不正判断回路４０は、変換回路４１ないし４４、加算回路５１、５２および比較回路５３を備えている。
【００６２】
変換回路４１ないし４４は、上記パルス値Ａ'ないしＤ'について予め設定された係数Ｕ1 ないしＵ4 で積算処理を行う。これは、各センサは、パルスを出力するタイミングを異にするため、それぞれパチンコ玉を計数する単位が異なるからである。例えば、各台再プレイ機７０は、パチンコ玉２５個毎、セーフ玉センサ１５１と各台計数機１００は、パチンコ玉１０個毎、さらにアウト玉センサ１６１は、パチンコ玉１００個毎に１パルスを発信している。
【００６３】
変換回路４１，４２は、それぞれ、係数Ｕ2 ，Ｕ3 でパルスＢ'，Ｃ'をそれぞれ積算し、セーフ玉数Ｂ（＝Ｂ'×Ｕ2 ）および貸出玉数Ｃ（＝Ｃ'×Ｕ3 ）を加算回路５１に出力する。同様にして、変換回路４１，４２は、それぞれ、係数Ｕ1 ，Ｕ4 でパルスＡ'，Ｄ'をそれぞれ積算し、アウト玉数Ａ（＝Ａ'×Ｕ1 ）および計数玉数Ｄ（＝Ｄ'×Ｕ4 ）を加算回路５２に出力する。
【００６４】
なお、上記係数は、店側で自由に設定できるが、例えば、上記の例では、Ｕ1  ＝１００、Ｕ2 ＝Ｕ4 ＝１０、Ｕ3 ＝２５と設定する。
【００６５】
加算回路５１は、セーフ玉数Ｂと貸出玉数Ｃと、さらに予め設定された誤差αを加算し（Ｙ＝Ｂ＋Ｃ＋α）、また、加算回路５２は、アウト玉数Ａと計数玉数Ｄとを加算して（Ｘ＝Ａ＋Ｄ）、それぞれ算出結果Ｙ，Ｘを比較回路５３へ出力し、比較回路５３は、加算回路５１, ５２から受けたＹ，Ｘについて比較判断を  行い、Ｙ＜Ｘの場合に各台計数機１００について不正行為が行われたものと判断し、アラーム（警告）信号Ｚを出力する。
【００６６】
送信器５４は、不正通報手段であり、上記不正判断回路５３から出力されるアラーム信号Ｚを受けて、ホール内の店員が携帯している携帯無線（図示せず）に不正行為が発生した事実を通報する。
【００６７】
このような不正行為検出装置の動作を図５のフローチャートを参照して説明する。
【００６８】
まず、ホール開店と同時にカウンタを一旦クリアする（ステップＳ１００）。
【００６９】
その後、遊技ユニットの稼働に伴い、各台再プレイ機７０から売上信号のパルスＣ'、アウト玉センサ１６１からアウト玉数量のパルスＡ'、セーフ玉センサ１５１からセーフ玉の数量のパルスＢ'がそれぞれ出力され、これらのパルスがワークステーション１１内の不正判断回路４０に入力される（ステップＳ１１０）。
【００７０】
遊技客が各台計数機１００にパチンコ玉を投入すると、各台計数機１００は、遊技客が獲得したパチンコ玉を計数し（ステップＳ１２０）、計数値のパルスＤ'をワークステーション１１の制御部１１Ａに出力する（ステップＳ１３０）。
制御部１１Ａは、上記パルス値Ａ'ないしＤ'を受け取って、係数Ｕ1  ないしＵ4 により各カウント値の変換処理を行い、セーフ玉数Ｂ（＝Ｂ'×Ｕ2 ）、貸出玉数Ｃ（＝Ｃ'×Ｕ3 ）、アウト玉数Ａ（＝Ａ'×Ｕ1 ）および計数玉数Ｄ（＝Ｄ'×Ｕ4 ）を算出する（ステップＳ１５０ないし１５３）。
【００７１】
次に、制御部１１Ａは、加算回路５１、５２によりＹ＝Ｂ＋Ｃ＋αおよびＸ＝Ａ＋Ｄの加算処理を行い、比較回路５３によりＹ，Ｘについて比較判断を行う（ステップＳ１６０）。その結果、Ｙ≧Ｘであれば、各台計数機について正常な操作が行われたものと判断する。
【００７２】
この一方、Ｙ＜Ｘの場合は、各台計数機１００について不正行為が行われたものと判断し、アラーム信号Ｚを出力し（ステップＳ１７０）、送信機５４により携帯無線でいずれかの各台計数機で不正行為が発生していることを店員に知らせる（ステップＳ１９０）。
【００７３】
以上の一連の動作をホール閉店まで繰り返して（ステップＳ２００）、この不正行為検出装置は、ホールの閉店とともに停止する。
【００７４】
以上詳述したとおり、本発明の第１の実施の形態にかかる遊技場システムによれば、不正行為検出装置を備えているので、各台計数機に対する不正行為を常に監視することができる。
【００７５】
さらに、各種のセンサ等の不正行為検出装置のハードウェアは、既存のものをそのまま利用しているので、ソフトウェアの追加のみで採用でき、極めて低いコストで上記効果を奏する遊技場システムが提供される。なお、上記第１の実施形態では、どの各台計数機で不正行為が行われたかを特定できないこととしたが、各センサが自己の識別番号をパルス信号とともに出力することとすれば、各台毎の演算が可能となり、不正行為が発生した遊技ユニットを特定することができる。
【００７６】
次に、本発明の第２の実施の形態にかかる不正行為検出装置について図面を参照しながら説明する。
【００７７】
第２の実施形態にかかる不正行為検出装置は、各台計数機で個別に不正行為を検出する点に特徴がある。
【００７８】
図６は、本実施の形態にかかる不正行為検出装置を備えた各台計数機１０１を含む遊技ユニット５６の基本的な構成を示すブロック図である。
【００７９】
同図に示すように、遊技ユニット５６は、各台計数機１０１と遊技機６０と各台再プレイ機７０とを備え、さらに、図２に示した遊技システムと略同様の遊技場システムに接続されている。
【００８０】
図６において、本実施形態にかかる不正行為検出装置は、流入数量検出手段であるセーフ玉センサ１５１と、流出数量検出手段であるアウト玉センサ１６１と、計数センサを備えた遊技媒体計数手段である各台計数機１０１と、各台再プレイ機７０に備えられ売上信号パルスを出力する貸出数量出力手段である売上信号出力部７４と、各種の表示を行う台ランプ８０と、不正判断手段であるＣＰＵ９０、ＲＯＭ９１およびＲＡＭ９２とを備えている。
【００８１】
各台計数機１０１は、装置全体を制御するＣＰＵ９０、各種のプログラム等を格納するＲＯＭ９１、遊技客が獲得したパチンコ玉を計数する計数センサ１４１、計数値等を格納するＲＡＭ９２、計数値をディスプレイ等に表示する表示部１４６、計数したパチンコ玉を貯玉することなく再度引出して遊技するための保留玉引落釦１４５および不正行為検出装置により不正行為が検出された場合に計数センサ１４１を停止する計数阻止部１４７とを備えている。
【００８２】
また、各台再プレイ機７０は、会員カードを受入れ、情報の読出し・書込みを行うカード処理部９５、会員の口座の残高である貯玉数などを表示する表示部７５、会員カードの暗証番号等を入力するためのテンキー７７、貸出玉を遊技台に投出する玉投出部７３、貯玉数から所定数のパチンコ玉数を減算して玉投出部７３に同数のパチンコ玉の投出を指示する再プレイ釦７６、売上信号のパルスをＣＰＵ９０へ出力する売上信号出力部７４および遊技の終了に伴って会員カードの返却を指示するためのカード返却釦７２とを備えている。
【００８３】
また、遊技機６０は、各種の表示を行う台ランプ８０、流入数量検出手段であるセーフ玉センサ１５１および流出数量検出手段であるアウト玉センサ１６１とを備えている。
【００８４】
各構成部分および各操作釦は、バス配線により各台計数機１０１のＣＰＵ９０と接続され、ＣＰＵ９０との間で信号の送信及び受信を行う。なお、各台再プレイ機７０は、通信インタフェイス９７を介して島コントローラ２５およびターミナルコントローラ１０とも接続され、これらとの間で各種情報の送信および受信を行う。
【００８５】
ＣＰＵ９０に備えられた不正判断手段の基本的構成は、図４のブロック図に示した不正判断回路４０と略同一であるが、その動作は、図５のフローチャートに示した動作と異なる。
【００８６】
本実施形態における不正行為検出装置の一連の動作手順を図７のフローチャートを用いて説明する。
【００８７】
まず、会員カードが挿入され、遊技が開始されると、ＣＰＵ９０は、ＲＡＭ９２に格納されたアウト玉の数量Ａ、セーフ玉の数量Ｂ、売上数量Ｃの各数量のデータを一旦クリアする（ステップＳ３００）。次に、ＣＰＵ９０は、当該会員の遊技中におけるアウト玉のパルスＡ'、セーフ玉のパルスＢ'、売上のパルスＣ'の各パルスを順次受入れ、各パルスから各々の数量を算出し（Ａ＝Ａ'×Ｕ1 ，Ｂ＝Ｂ'×Ｕ2,，Ｃ＝Ｃ'×Ｕ3 ）、その値Ａ，Ｂ，Ｃを逐次ＲＡＭ９２の所定の領域に格納する（ステップＳ３１０）。
【００８８】
本実施形態における不正行為検出装置は、パチンコ玉の計数動作と並行して不正行為の有無の判断を行う点に特徴がある。
【００８９】
即ち、各台計数機１０１へ玉が投入され自動的に計数が開始されると（ステップＳ３２０）、ＣＰＵ９０は、ＲＡＭ９２に格納されたアウト玉の数量Ａ、セーフ玉の数量Ｂ、売上数量Ｃを引出し、各台計数機１０１からパチンコ玉の計数動作中に出力される計数値Ｄとの比較演算を行う（ステップＳ３３０）。
【００９０】
本実施形態においては、第１の実施形態とは異なり、この計数値Ｄは、実計数値を出力する。従って、ＣＰＵ９０は、実計数値としての計数玉数Ｄに基づいて、Ｂ＋Ｃ＋α（＝Ｙ），Ａ＋Ｄ（＝Ｘ）について比較判断を行う（ステップＳ３４０）。その結果、Ｂ＋Ｃ＋α≧Ａ＋Ｄであれば、正常な操作が行われていると判断し、上記ステップＳ３３０ないし３４０の動作を計数が完了するまで繰返す（ステップＳ３５０）。
【００９１】
このループの中でＢ＋Ｃ＋α＜Ａ＋Ｄとなった場合は、各台計数機１０１について不正行為が行われたものと判断して、アラーム信号Ｚを計数阻止部１４７と台ランプ８０に出力する（ステップＳ３６０）。
【００９２】
アラーム信号Ｚの出力を受けた計数阻止部１４７は、各台計数機１０１の計数動作を直ちに阻止し（ステップＳ３７０）、ホールの被害の拡大を防止する。計数動作の阻止は、例えば、計数通路をソレノイド等で遮断することにより行う。
また、アラーム信号Ｚの出力を受けた台ランプ８０は、所定のランプを点滅させることにより（ステップＳ３８０）、不正行為が行われていることを店員に知らせ、エラーダウンとなる（ステップＳ３９０）。
【００９３】
遊技の終了により、カード返却釦７２が押圧され、会員カードが返却されると、ＣＰＵ９０は、不正判断を終了する。なお、各台計数機１０１の計数が終了した後、カード返却釦７２が押圧されずに、しばらくして再度各台計数機１０１へ玉が投出された場合には、それまでの計数値Ｄに今回の計数値Ｄを加算した値をＤとして再度演算され（ステップＳ３３０）、再度比較されることになる（ステップＳ３４０）。
【００９４】
以上の一連の動作は、各顧客が遊技する毎に行われる。
【００９５】
このように、遊技客が各台計数機１０１に対して不正行為を働いた場合には、本発明にかかる不正行為検出装置が直ちにこれを検出して計数動作を阻止するとともに、台ランプ８０を点滅させることにより店員に知らせるので、ホールの損害を最小限に止めた上で、より一層迅速な対処を可能にする。
【００９６】
次に、各台計数機１０１の詳細な動作を図１２のフローチャートを用いて説明する。
【００９７】
まず、会員カード（ビジターカードを含む）が挿入されると（ステップＳ５００）、計数シャッタ部１３０が開き（ステップＳ５１０）、各台計数機１０１の表示部１４６に「０」が点灯して（ステップＳ５２０）、計数可能であることを遊技客に知らせる。（カード挿入前は、待機状態を表すために表示部１４６はＬＥＤが左右から中央へランニング表示を行っている。）
次に、遊技客が獲得した玉を玉箱１１０に移して、玉箱レバー１１５を移動すると、玉箱の底が一部開きパチンコ玉が計数部１４０に流れ込んで（ステップＳ５３０）計数が始まり（ステップＳ５４０）、計数値を表示部１４６に表示する（ステップＳ５５０）。
【００９８】
遊技の途中で遊技機６０の上皿６９のパチンコ玉の数量が少なくなり、遊技客が既に計数したパチンコ玉の再利用を望む場合は、表示部に近接して設けられた保留玉引落釦１４５を押圧すると（ステップＳ５６０）、保留玉から所定金額分の玉数が減算され（ステップＳ５７０）、その結果が表示部１４６に表示されるとともに、各台再プレイ機７０から所定金額分の玉が投出され、計数済みのパチンコ玉で再度遊技することができる。なお、この場合は、貯玉から引落す場合と異なり、引落し手数料としての玉数が余分に差引かれ
ることはない。
【００９９】
最後に、遊技が終了して遊技客が各台再プレイ機７０のカード返却釦７２を押圧すると（ステップＳ５８０）、計数シャッタ部１３０が閉じ、保留玉の数量を該会員の口座へ貯玉した上で（ステップＳ５９０）、会員カードが返却されて（ステップＳ６００）、この各台計数機１０１の動作は終了する。
【０１００】
以上、本発明の実施の形態について説明したが、本発明は、上記実施の形態に限るものではなく、その要旨を逸脱しない範囲で適宜変形して実施することができる。
【０１０１】
上述の実施形態では、会員カードによって貸出を行う各台再プレイ機を接続した遊技台について説明したが、各台再プレイ機に変えて従来からあるＣＲユニットを接続したものでも良い。
【０１０２】
また、ＣＲユニットを上記各台再プレイ機に追加して接続したものでも良い。この場合は、ＣＲユニットに備えられた貸出数量出力手段から第５の数量データである売上信号パルスがワークステーション１１に出力され、このＣＲユニットから出力される売上信号パルスに基づいて算出される売上数量が上述の売上数量Ｃに加算されて、各台計数機の計数値Ｄとの比較演算が行われる。あるいは、第５の数量データである売上信号が各台計数機１０１に出力され、各台計数機内で比較演算が行われる。
【０１０３】
また、本発明は、遊技機と計数装置と貸出装置とを一体にしたものに適用しても良い。
【０１０４】
さらに、上記の実施形態では、パチンコ遊技機に適用した実施形態を説明したが、メダル機等にも適用できるのは勿論である。
【産業上の利用可能性】
【０１０５】
本発明は、コストの増大を抑制しつつ、頻繁に非自店メダルを持ち込む常習者を特定する場合に適している。
【符号の説明】
【０１０６】
１  貸出数量出力手段
２  流入数量検出手段
３  遊技媒体計数手段
４  流出数量検出手段
５  不正判断手段
１０  ターミナルコントローラ
１１  ワークステーション
１１Ａ  制御部
１１Ｂ  メモリ
１１Ｃ  表示部
１１Ｄ  入出力部
２５  島コントローラ
４０  不正判断回路
４１〜４４  変換回路
５１，５２  加算回路
５３  比較回路
５５，５６  遊技ユニット
７０  各台再プレイ機
７４  売上信号出力部
８０  台ランプ
９０  ＣＰＵ
９１  ＲＯＭ
９２  ＲＡＭ
１００，１０１  各台計数機
１４１  計数センサ
１４７  計数阻止部
１５１  セーフ玉センサ
１６１  アウト玉センサ
【図１】
0005302444.tif 000002
【図２】
0005302444.tif 000003
【図３】
0005302444.tif 000004
【図４】
0005302444.tif 000005
【図５】
0005302444.tif 000006
【図６】
0005302444.tif 000007
【図７】
0005302444.tif 000008
【図８】
0005302444.tif 000009
【図９】
0005302444.tif 000010
【図１０】
0005302444.tif 000011
【図１１】
0005302444.tif 000012
【図１２】
0005302444.tif 000013